(57)【要約】【課題】つま先を収容したときに窮屈感や圧迫感を生じさせず、連結部を有さず、また編地自体の引きつれも生じず、外観的体裁の良好なくつ下を提供する。【解決手段】くつ下編機により、足裏側部分１１と甲側部分１２を形成する筒編部１０に連続して、親指側に偏った左右非対称の平面略台形状をなすつま先収容部２０を設け、このつま先収容部２０において、平面略台形状に反転編したの表側部２２と裏側部２１の間に、その外形に沿って正転編による厚み増加用の編立て部２５を設ける。【選択図】        図２
2005264352.tif 000002
【特許請求の範囲】
【請求項１】
くつ下編機で一体に編成され、足裏側部分と甲側部分を形成する筒編部に連続してつま先収容部が設けられたくつ下であって、
前記つま先収容部は、平面略台形状をなすように反転編された表側部と裏側部の間に、その外形に沿って正転編による編立て部が設けられてなることを特徴とするくつ下。
【請求項２】
前記つま先収容部が親指側に偏った左右非対称の平面略台形状をなしている請求項１に記載のくつ下。
【請求項３】
前記つま先収容部の前記正転編の編立て部の一部に、該編立て部に連続して平面略台形状をなすように突出する小形つま先部が設けられてなることを特徴とする請求項１または２に記載のくつ下。
【請求項４】
くつ下編機により、足裏側部分と甲側部分とを一体に筒編するとともに、該筒編部に連続してつま先を収容するつま先収容部を編成して、くつ下を製編する方法において、
前記つま先収容部を編成する際、該つま先収容部の表側部と裏側部の双方を、それぞれ編み幅を変化させつつ反転編して、くつ下先端側ほど編み幅の狭い平面略台形状をなすように編成するとともに、該表側部の反転編と裏側部の反転編との間で、該表側部と裏側部の外形に沿う編立て部を正転編して、前記表側部と裏側部の間に正転編の編立て部を介設させるように製編することを特徴とするくつ下の製造方法。
【請求項５】
くつ下編機の正転により、前記つま先収容部の外形部に沿う前記正転編の編立て部を編み立てる途中において、くつ下編機におけるつま先収容部を編成する編針領域で、小形つま先部の裏側と表側をそれぞれ編み幅を変化させつつ反転編して、くつ下先端側ほど編み幅の狭い平面略台形状をなすように編成することを特徴とする請求項４に記載のくつ下の製造方法。
【発明の詳細な説明】
【技術分野】
【０００１】
本発明は、くつ下編機により編立てられて製造されるくつ下及びその製造方法に関するものである。
【背景技術】
【０００２】
一般に、図８に示すようなくつ下１０１は、複数本の編針が周囲に配された針釜を正転及び逆転可能に設けた丸編機を利用したくつ下編機により製編される。このくつ下１０１の製編では、図９に示すように、足裏側部分１１１と甲側部分１１２を形成する筒編部１１０に連続して、つま先を収容するつま先収容部１２０を編成する。
【０００３】
このつま先収容部１２０の編成においては、通常、先ず、図９（ｃ）のように、前記筒編部１１０の足裏側部分１１１の端部（ＡＢ位置）に連続して、前記つま先収容部１２０の裏側部１２１を編成する。この際、くつ下編機の正回転、逆回転を交互に繰り返す反転編を行い、最大編幅の編針領域から目的最小編幅の編針領域に向かって、両側反転位置で編成に寄与する編針を、例えば１編コース毎に１針（１ウエール）ずつ減少させて、編幅を漸次減少させながら編立てる。そして、最小編幅の編針領域（ＣＤ位置）に達すれば、これに連続して、図９（ａ）のように、前記とは逆に最大編幅の編針領域に向かって反転編を行い、両側反転位置で編成に寄与する編針を、前記とは逆に例えば１編コース毎に１針（１ウエール）ずつ増加させて編幅を漸次増加させながら、前記つま先収容部１２０の表側部１２２を編立てる。このとき、前記裏側部１２１と表側部１２２の両側端同士が連結編されて繋がれる。図９（ｂ）における符号１２４，１２４は前記両側の連結部（ゴア線）を示す。また前記表側部１２２の端部は最終的に筒編部１１０の甲側部分１１２の開口端に連結編されて閉じ合わされる。１１５はその閉じ合わせ部を示す。
【０００４】
ところで、前記のように製編される従来のくつ下１０１にあっては、そのつま先収容部１２０は、左右対称形をなし、左右どちらの足にも履くことができるものであるが、このつま先収容部１２０の裏側部１２１と表側部１２２とが先端部で連続して折り返された状態であって、かつその両側端部において直接連結編されて繋がれているため、つま先収容部１２０としての厚み（膨らみ）はそれほど大きくはない。そのため、該つま先収容部１２０につま先を収容した場合に、つま先の先端部で窮屈感、圧迫感が感じられる。特には、足の指の中で大きくかつ突出している親指の側でくつ下編地が引っぱられることになってより大きな圧迫感を生じる。
【０００５】
このような問題を解決するものとして、下記の特許文献１に開示のくつ下の製造方法が提案されている。
【０００６】
この提案のくつ下の製造方法では、基本的に従来と同様にくつ下編機により製編するものであって、その製編におけるつま先収容部の編立ての際、該つま先収容部の裏側部と表側部とを反転編により連続して編立てる途中（裏側部と表側部との間）において、左右両側の反転位置での編成に寄与する編針の増減を変化させて、親指側に厚み増加のための編地部分を追加すると同時に、この追加の編地部分の編み方を利用して厚み増加の編立て方向を親指側にシフトさせるように編成している。すなわち、反転編の中で、前記厚み増加のための編地部分を親指側に偏倚させるように追加して編成して、編地自体を親指側に引っ張った状態にしてシフトさせている。また、前記追加の編地部分についても反転編のために、親指側において該編地部分がつま先収容部の裏側部と表側部の双方に編目を変化させながら連結編されており、その連結部（ゴア線）が枝分かれ状になっている。
【０００７】
この提案のくつ下は、つま先収容部の全体が前記追加の編地部分により親指側にシフトしてかつ親指側の厚みが増加しかつ経方向にも膨らみが増していることで、つま先を収容した状態において、前記の親指側での窮屈感や圧迫感が抑制されるものの、前記追加の編地部分とつま先収容部の裏側部と表側部との間の枝分かれ状の連結部（ゴア線）が、共に編目を変化させながら連結された状態で目立ち易く、連結状態もそれほど綺麗ではなく、外観的に不体裁である上、親指側へのシフト形状のために編地自体が親指側で引きつれ状態になっており、これが商品価値を低下させることになっている。しかも、前記追加の編立て部分については、親指側の厚みを増加する以外の機能は期待できないものである。
【特許文献１】特許第２８９５４７３号公報
【発明の開示】
【発明が解決しようとする課題】
【０００８】
本発明は、上記に鑑みてなしたもので、つま先収容部全体の厚み（膨らみ）を増加させるだけでなく種々の機能を持たせることができ、窮屈感や圧迫感なく履くことができるとともに、つま先収容部の側面に枝分かれ状の目立つ連結部（ゴア線）を有さず、また編地自体の引きつれなどが生じることもなく、外観的体裁の良好なくつ下、さらには、つま先収容部の外形部分に他の種々の機能を持たせることができるくつ下を提供するものであり、またこのようなくつ下を容易に得ることができる製造方法を提供するものである。
【課題を解決するための手段】
【０００９】
上記の課題を解決する本発明のくつ下は、くつ下編機で一体に編成され、足裏側部分と甲側部分を形成する筒編部に連続してつま先収容部が設けられたくつ下であって、前記つま先収容部は、平面略台形状をなすように反転編された表側部と裏側部の間に、その外形に沿って正転編による編立て部が設けられてなることを特徴とする。
【００１０】
このくつ下は、つま先収容部の外形部つまり先端部及び両側部の外形部において裏側部と表側部との間に正転編による編立て部が設けられているため、該つま先収容部の全体の厚みが従来品よりも大きく立体的な膨らみを有ることになり、つま先を収容した状態において指先に窮屈感や圧迫感を生じることがない。
【００１１】
そればかりか、前記の正転編による編立て部の編成組織を利用して、前記つま先収容部の外形部分に通気性を持たせたり、柄を編成したり、強度アップを図る等、他の種々の機能を持たせることができる。
【００１２】
また、つま先収容部の外形部全体に厚み増加用の編立て部が正転編により形成されているため、該つま先収容部の両側部においては、前記厚み増加用の編立て部と前記つま先収容部の裏側部と表側部との２本の連結部（ゴア線）が平行に現れるだけで目立たず、シンプルでかつ綺麗であり、しかも編地自体に引きつれが生じることもなく、外観的な体裁も良好なものとなっている。
【００１３】
前記のくつ下において、前記つま先収容部が親指側に偏った左右非対称の平面略台形状をなしているものが好ましい。この場合、足の指の中で最も大きく突出する親指の側においても、編地自体が局部的に引っ張られたり圧迫感を生じるおそれがなく、該くつ下を体裁良く快適に履くことができる。
【００１４】
前記のくつ下において、前記つま先収容部の前記正転編の編立て部の一部に、該編立て部に連続して平面略台形状をなすように突出する小形つま先部が設けられてなるものとすることができる。この場合、足の指の中で最も大きく突出する親指の先端部を前記小形つま先部に収容でき、窮屈感なく体裁良く快適に履くことができる。
【００１５】
特に、前記小形つま先部が親指側に偏って前記編立て部の一部に設けられていると、前記親指の先端部を具合良く収容でき、編地に過度の引っ張り等を生じさせることもない。さらに、前記小形つま先部の表側と裏側との間に、その外形に沿って正転編部分が設けられていると、該小形つま先部の厚みが大きくなり、前記親指の先端部をさらに一層窮屈感なく収容でき、きわめて快適に履くことでき、外観的な体裁も良好なものとなる。
【００１６】
また、本発明の他の一つは、前記のくつ下の製造方法であり、くつ下編機により、足裏側部分と甲側部分とを一体に筒編するとともに、該筒編部に連続してつま先を収容するつま先収容部を編成して、前記のくつ下を製編する方法において、前記つま先収容部を編成する際、該つま先収容部の表側部と裏側部の双方を、それぞれ編み幅を変化させつつ反転編して、くつ下先端側ほど編み幅の狭い平面略台形状をなすように編成するとともに、該表側部の反転編と裏側部の反転編との間で、該表側部と裏側部の外形に沿う編立て部を正転編して、前記表側部と裏側部の間に該厚み増加用の編立て部を介設させるように製編することを特徴とする。これにより、上記した特徴を有するくつ下を製編できる。
【００１７】
前記のくつ下の製造方法において、前記つま先収容部の裏側部と表側部の一方を反転編により編み立てるときは、くつ下編機の正転と逆転の一方の反転位置と他方の反転位置とにおいて、編成に関与する編針数をそれぞれ所定割合で漸次減少させ、また前記つま先収容部の裏側部と表側部の他方を反転編により編み立てるときは、くつ下編機の正転と逆転の一方の反転位置と他方の反転位置とにおいて、編成に関与する編針数をそれぞれ所定割合で漸次増加させる。これにより、先端ほど編幅の狭い平面略台形状をなしかつその外形に沿って裏側部と表側部との間に正転編の編立て部を設けたつま先収容部を問題なく製編でき、前記した特徴あるくつ下を容易に得ることができる。
【００１８】
また、前記つま先収容部の裏側部又は表側部の反転編における両側反転位置での編成に関与する編針数の減少率又は増加率を異にして、一方の反転位置の側に偏った平面略台形状又は平面略逆台形状に編成することにより、つま先収容部が親指側に通った平面略台形状をなすくつ下を製造できる。
【００１９】
さらに、前記のようにくつ下編機の正転により、前記つま先収容部の外形部に沿う前記正転編の編立て部を編立てる途中において、くつ下編機におけるつま先収容部を編成する編針領域で、小形つま先部の裏側と表側をそれぞれ編幅を変化させつつ反転編して、くつ下先端側ほど編幅の狭い平面略台形状をなすように編成することができる。
【００２０】
これにより、前記つま先収容部の厚み増加用の前記編立て部の一部に、該編立て部に連続して平面略台形状をなすように突出する小形つま先部を設けたくつ下を製編することができる。
【発明の効果】
【００２１】
上記したように、本発明のくつ下によれば、つま先収容部の外形部に沿う正転編の編立て部の存在により、つま先収容部全体の厚みを増加させることができ、つま先を収容した状態において親指側のみならず指先部全体において窮屈感や圧迫感を生じさせずに、快適に履くことができる。しかも、つま先収容部の側面に枝分かれ状の目立つ連結部（ゴア線）を有さず、また編地自体の引きつれなどが生じることもなく、外観的体裁がきわめて良好なものである。そればかりか、前記の正転編による編立て部の編成組織を利用して、前記つま先収容部の外形部分に通気性を持たせたり、柄を編成したり、強度アップを図る等、前記厚み増加以外の種々の機能を持たせることができる。
【００２２】
また、本発明のくつ下の製造方法によれは、前記の効果を有するくつ下を従来同様のくつ下編機を用いて容易に効率よく製編、製造できる。
【発明を実施するための最良の形態】
【００２３】
次に本発明の実施の形態を図面に示す実施例に基づいて説明する。
【００２４】
図１は本発明の第１実施例のくつ下を示す斜視図、図２は同くつ下の製編状態を説明するための略示図である。
【００２５】
図１および図２の第１実施例のくつ下１Ａは、従来同様のくつ下編機により一体に編成され、足裏側部分１１と甲側部分１２を形成する筒編部１０に連続してつま先収容部２０が設けられてなるものにおいて、前記つま先収容部２０は、先端ほど編幅の狭い平面略台形状をなすように反転編された表側部２２と裏側部２１との間に、その外形部に沿って正転編による機能増加のための編立て部２５が設けられてなるものである。
【００２６】
前記のくつ下１Ａの前記つま先収容部２０は、左右が対称の平面略台形状をなすものでもよいが、実施上は、図のように親指側に偏った左右非対称の平面略台形状をなしているものが好ましい。
【００２７】
前記のくつ下１Ａは、前記くつ下編機により、足裏側部分１１と甲側部分１２とを一体に筒編するとともに、該筒編部１０に連続して、つま先を収容するつま先収容部２０を編成するもので、この編成の際、該つま先収容部２０の表側部２２と裏側部２１との双方を、それぞれ編幅を変化させつつ反転編して、図２（ａ）及び（ｃ）のようにくつ下先端側ほど編幅の狭い平面略台形状をなすように編成するとともに、前記表側部２２の反転編と裏側部２１の反転編との間で、該表側部２２と裏側部２１の外形部に沿う編立て部２５を正転編して、図２の（ｂ）（ｄ）のように、前記表側部２２と裏側部２１の間に前記正転編の編立て部２５を介設させるように製編する。
【００２８】
具体的には、前記筒編部１０における足裏側部分１１と甲側部分１２の一方、例えば、足裏側部分１１の端部（図２のＡＢ位置）から連続して前記つま先収容部２０の裏側部２１を、その編幅を漸次減少させながら平面略台形状をなすようにくつ下編機の正回転、逆回転を交互に繰り返す反転編により編み立てる。すなわち、編機における最大編幅の編針領域から目的最小編幅の編針領域に向かって、くつ下編機の一方の反転位置と、他方の反転位置とにおいて、編成に関与する編針数をそれぞれ所要の編コース数（例えば、１もしくは複数コース）につき１針（１ウエール）ずつ減少させるようにして編成する。
【００２９】
次に、前記裏側部２１に連続して前記の機能増加のための編立て部２５を正転編により編み立てる。すなわち、前記裏側部２１が最小編幅位置（図２のＣＤ位置）に達したとき、一気に元の最大編幅の編針領域に戻して、前記裏側部２１の外形に沿ってこれに連続させるように正転編を行い、必要コース数に渡って編立てる〔図２（ｂ）〕。この正転編は、前記つま先収容部２０の裏側部２１の外形端部から前記筒編部１０の甲側部分１２の開口端部１４を回る筒状に編成するもので、これにより、前記編立て部２５を正転編により問題なく編成することができる。符号２３は、前記編立て部２５と前記裏側部２１との連結部（ゴア線）を示す。
【００３０】
さらに、前記編立て部２５に連続して、前記つま先収容部２０の表側部２２を、前記裏側部２１とは逆に編幅を漸次増加させながら、前記裏側部２１に対応した平面略逆台形状をなすように反転編により編立てる。すなわち、前記編立て部２５の所定コース分が編立てられたとき、編機における前記表側側部２２の最小編幅位置〔図２（ａ）のＣ’Ｄ’位置〕の編針領域の部分に一気に戻し、この状態から最大編幅位置〔図２（ａ）のＡ’Ｂ’位置〕の編針領域に向かって、両側反転位置における編成に関与する編針数を、それぞれ前記とは逆に所要の編コース数につき１針（１ウエール）ずつ増加させるようにして編成する。またこのとき、前記表側部２２の両側端部を前記正転編の編立て部２５の対応する部分に連続させるように編成する。これにより、前記編立て部２５は、前記裏側部２１と前記表側部２２の間にその外形に沿って介設された状態になる。符号２４は前記編立て部２５と前記表側部２２との連結部（ゴア線）を示す。
【００３１】
こうして最大編幅位置 （Ａ’Ｂ’位置）まで編成した後、最終的に、前記表側部２２の端部を筒編部１０の甲側部分１２の開口端部１４に沿って正転編された前記編立て部２５の表側部分２５ａに連結編など手段により閉じ合わせることにより、上記した構成のくつ下１Ａ、すなわち、つま先収容部２０の外形部に沿って正転編の編立て部２５を設けたくつ下１Ａの製編が完了する。符号１５は前記甲側部分１２とつま先収容部２０との閉じ合わせ部を示す。
【００３２】
なお、図２では、つま先収容部２０の裏側部２１と表側部２２の外形形状や連結部２３、２４等を便宜的に直線的に図示しているが、実際には、使用糸や編組織により編地特有の丸みを有するものであり、図１のようなくつ下１Ａを得ることができる。さらに、上記実施例では、つま先収容部２０の裏側部２１の側から編成する場合を示したが、これとは逆に、表側部２２の側から上記と同様にして編成することも可能である。
【００３３】
また、前記のくつ下１Ａの製編において、前記つま先収容部２０の裏側部２１及び表側部２２それぞれの反転編における両側反転位置での編成に寄与する編針の減少率及び増加率つまり減少及び増加の割合は、編成しようとするつま先収容部２０の形状、特に両側端の傾斜形状等に応じて適宜設定できる。
【００３４】
すなわち、つま先収容部２０を左右対称の平面略台形状に編成する場合は、両側反転位置での編針の減少率又は増加率を同じにすればよく、また左右が非対称の平面略台形状に編成する場合は、両側反転位置での編針の減少率または増加率を異にすればよい。
【００３５】
例えば、両側反転位置を共に、１編コースにつき１針（１ウエール）ずつ減少又は増加させることにより、左右対称の平面略台形状に編成できる。また、両側反転位置の一方側（親指側）では複数コースにつき１針（１ウエール）の割合で減少又は増加させ、他方側（小指側）では１編コース毎に１針（１ウエール）ずつ減少又は増加させることにより、図のように親指側になる一方側に偏った平面略台形状をなすように編成することができる。
【００３６】
前記の両側反転位置において、編成に寄与する編針数の減少率又は増加率が、複数コースにつき１針（１ウエール）の割合で、目減らし又は目増やしの程度が比較的小さい場合（例えば、３コース以上の単位コース毎に、１針ずつ減少又は増加させる場合）、前記のコース数毎に１針（１ウエール）減少又は増加させると、その変化が大きくなって、正転編による編立て部２５との連結編の間隔が大きくなり、製品において隙間が生じることになる。
【００３７】
そのため、通常は、例えば図３に例示するように、３コース単位で、毎コースにつき１ウエール減少又は増加させて編成し、次いで反転位置において２ウエールかつ２コース戻して前に形成した編目の上に重ねて編目形成してから次続のコースを編成し、こうして前記同様に３コース単位で毎コースにつき１ウエール減少又は増加させた後、前記のように２ウエール、２コース戻して編目形成する編成を繰り返して、側端部の編目数を減らして編成することにより、前記正転編の編立て部２５と比較的小さな間隔で略均等に連結編できるようにして、該連結部分の隙間が大きくならないようにするのが望ましい。
【００３８】
図３は、３コース単位の両側反転位置での変化状態を説明するもので、各編コースを３コース毎に太い実線と細い実線であらわし、左右の両端部の数値は編コースの順番を示している。この図３の場合、図の左側の反転部では、１編コースにつき１針（１ウエール）減少させ、図の右側の反転部では、３コース単位で、毎コースにつき１ウエール減少させた後、２ウエール、２コース戻して前に形成された編目の上に重ねて編目形成する編成を繰り返している。このように編成されることで、右側の反転位置（側端）では、中間部のコースで三つの編目が重ねて形成されることになり、図３のようにウエール方向及びコース方向の編目の段数が左側の反転位置の約１／３に減少している。従って、この各段の編目部分において、正転編の編立て部２５と連結編されることにより、反転編の編地部分（つま先収容部の裏側部又は表側部）が右側に引き寄せられ、結果として該編地が左右非対称の平面略台形状になる。また、編幅を増加させる場合は、前記とは逆の変化で編成される。
【００３９】
上記のようにして編成されたくつ下１Ａは、つま先収容部２０の外形部つまり先端部及び両側部の外形部において裏側部２１と表側部２２との間に正転編の編立て部２５が設けられているため、該つま先収容部２０の全体の厚みが大きく立体的になり、つま先を収容した状態において指先に窮屈感や圧迫感を生じることがない。特に、前記外形部の編立て部２５のために、つま先部分の丸みのある形状にも沿い易く、気持ち良く履くことができることになる。
【００４０】
しかも、前記つま先収容部２０の外形部全体に前記編立て部２５が正転編により形成されているため、該つま先収容部２０の両側部においては、前記編立て部２５と前記つま先収容部２０の裏側部２１と表側部２２との２本の連結部（ゴア線）２３，２４が平行に現れるだけで目立たず、シンプルでかつ綺麗であり、しかも編地自体に引きつれが生じることもなく、外観的な体裁も良好なものとなっている。
【００４１】
この点について、本発明品の前記連結部に相当する編組織図を示す図６と、従来品（図８及び図９）の連結部に相当する編組織図を示す図７に基づいて説明する。
【００４２】
図６において、細線の編目部分がつま先収容部の裏側部２１、太線の編目部分が正転編の編立て部２５を示し、さらに同図におけるＹａは裏側部２１の正転側コースの糸、Ｙｂは逆転側コースの糸を示し、また、Ｙｃは正転編の編立て部２５の各コースの糸を示し、２３は前記裏側部２１と正転編の編立て部２５との連結部を示す。また、図７において、細線の編目部分がつま先収容部の裏側部１２１、太線の編目部分が表側部１２２を示し、さらに同図におけるＹａは裏側部１２１の正転側コースの糸、Ｙｂは逆転側コースの糸を示し、また、Ｙａ’は表側部１２２の正転側コースの糸、Ｙｂ’は逆転側コースの糸を示し、１２４は前記裏側部１２１と表側部１２２の連結部を示す。
【００４３】
図７から明らかなように、従来品の場合は、裏側部１２１の各コースの糸Ｙａ、Ｙｂは、正転と逆転との反転位置となる側端部において順次目減らしされて編成され、この部分で２つのウエールＷ１，Ｗ１に渡って掛けられた状態になり、この目減らしの部分で各ウエールＷ１，Ｗ１間の編目空間（斜線部）が比較的大きくなる。また、これに連結される表側部１２２の各コースの糸Ｙａ’、Ｙｂ’は、前記とは逆に側端部で順次目増やしされて編成され、この部分で２つのウエールＷ２，Ｗ２に渡って掛けられるとともに、前記の目減らしされた裏側部１２１の各ウエールＷ１に対して連結編される。この表側部のＹａ’、Ｙｂ’目増やしの部分でも、各ウエールＷ２，Ｗ２間の編目空間（斜線部）が比較的大きくなるため、双方のウエールＷ１，Ｗ２が連結されることになる連結部１２４では、前記の編目空間がさらに大きく開くことになり、特に編地が張った状態になるほど外観的に目立つ大きな隙間が生じることになり、不体裁なものになる。
【００４４】
これに対して、本発明の場合は、図６から明らかなように、裏側部２１の各コースの糸Ｙａ、Ｙｂは、正転と逆転との反転位置となる側端部において順次目減らしされて編成され、この部分で２つのウエールに渡って掛けられた状態で、ウエール間の編目空間（斜線部）が比較的大きくなるが、前記正転編の編立て部２５の前記糸Ｙｃは、前記のように目減らしされた裏側部２１の各ウエールに対して、正転編による編目を形成しながら連結されるために、この連結部２３における前記ウエール間の編目空間の目開きが抑制され、着用時にも大きな隙間を生じることがなく、また引きつれも生じず、外観的な体裁が良好なものとなる。
【００４５】
そればかりか、上記の正転編による編立て部２５の編成組織を利用して、つま先収容部２０の外形部に種々の機能を持たせることができる。例えば、この編立て部２５を、メッシュ調の組織で編成することにより、つま先収容部２０の外形部に通気性を持たせることができ、蒸れ防止に効果のあるくつ下を得ることができる。また、前記編立て部２５の組織の変化により柄を編成したり、強度アップを図る等、一般の正転編に適用できる種々の機能を付与することが容易に可能になる。
【００４６】
図４は本発明の第２実施例のくつ下を示す斜視図、図５は同くつ下の製編状態の説明図である。
【００４７】
この図４及び図５の実施例のくつ下１Ｂについても、基本的に、上記した第１実施例と同様に、くつ下編機により一体に編成され、足裏側部分１１と甲側部分１２を形成する筒編部１０に連続してつま先収容部２０が設けられてなるものにおいて、前記つま先収容部２０は、先端ほど編幅の狭い平面略台形状をなすように反転編された表側部２２と裏側部２１との間に、その外形に沿って正転編による機能増加のための編立て部２５が設けられてなるものである。
【００４８】
そして、この第２実施例のくつ下１Ｂの場合の特徴として、前記の構成に追加して、前記つま先収容部２０の正転編による前記編立て部２５の一部には、該編立て部２５に連続して平面略台形状をなすように突出する親指用の小形つま先部３０が、図のように親指側に偏った位置に設けられている。この小形つま先部３０は、その裏側３１とこれに連続する表側３２とからなるものであってもよいが、図示する実施例の場合には、該小形つま先部３０の表側３２と裏側３１との間に、その外形に沿って正転編部分３５が設けられている。特に、前記正転編部分３５は、前記つま先収容部２０の編立て部２５と一体に正転編されている。
【００４９】
この実施例のくつ下１Ｂについても、くつ下編機により、足裏側部分１１と甲側部分１２とを一体に筒編するとともに、この筒編部１０に連続して、つま先収容部２０を一体に編成するもので、この編成において、前記つま先収容部２０の表側部２２と裏側部２１との双方を、それぞれ編幅を変化させつつ反転編して、図５（ａ）及び（ｃ）のように、くつ下先端側ほど編幅の狭い平面略台形状をなすように編成する点、またそのために、編機の両側反転位置で編成に寄与する編針数を減少又は増加させるようにして編成する点、及び前記表側部２２の反転編と裏側部２１の反転編との間で、該表側部２２と裏側部２１の外形に沿う編立て部２５を正転編して編立てる点は、上記した第１実施例の場合と基本的に同様の方法で製編する。
【００５０】
そして、この第２実施例のくつ下１Ｂの場合は、特に、前記の正転編の編立て部２５の編立て途中において、くつ下編機におけるつま先収容部２０を編成する編針領域で、小形つま先部３０の裏側３１と表側３２をそれぞれ編幅を変化させつつ反転編して、くつ下先端側ほど編み幅の狭い平面略台形状をなすように編成する。特に、図示する実施例の場合は、該小形つま先部３０の表側３２と裏側３１の外形に沿う正転編部分３５を、前記編立て部２５と共に正転編して、前記表側３２と裏側３１の間に該正転編部分３５を介設させるように製編する。
【００５１】
具体的には、図５（ｃ）のように、例えば前記筒編部１０の足裏側部分１１の端部（ＡＢ位置）から連続して前記つま先収容部２０の裏側部２１を、その編幅を漸次減少させながら平面略台形状をなすように反転編により編み立てる。すなわち、編機における最大編幅（ＡＢ位置）の編針領域から目的最小編幅の編針領域に向かって、くつ下編機の両側反転位置において、編成に関与する編針数をそれぞれ所要の編コース数（例えば、１もしくは複数コース）につき１針（１ウエール）ずつ減少させるように編成する。
【００５２】
そして、前記裏側部２１が目標最小編幅位置（ＣＤ位置）に達したとき、一気に元の最大編幅の編針領域に戻して、前記裏側部２１に連続して前記編立て部２５を正転編により編立てる。この正転編が数コース進んだ時、設定される小形つま先部３０を編成するための最大編幅の位置（ＨＩ位置）の編針領域から目的最小編幅の編針領域に向かって反転編を行い、両側反転位置で編成に関与する編針数をそれぞれ所要の編コース数（例えば、１もしくは複数コース）につき１針ずつに減少させるようにして、該小形つま先部３０の裏側３１を編立てる。
【００５３】
また、前記裏側３１がその最小編幅位置（ＥＦ位置）に達したとき、元の小形つま先部３０の最大編幅の編針領域に一気に戻して、前記裏側３１の外形に沿ってこれに連続させるように前記つま先収容部２０の編立て部２５と共に正転編を行い、正転編部分３５を必要コース数に渡って編立てる。
【００５４】
さらに、前記正転編部分３５が所要コースに渡って編立てられたとき、これに連続して前記小形つま先部３０の表側３２を反転編により編幅を漸次増加させながら編立てる。すなわち、前記厚み増加部分３５の編立て後、編機における前記裏側３１の最小編幅位置（Ｅ’Ｆ’位置）の編針領域の部分に一気に戻し、この状態から小形つま先部３０の最大編幅の編針領域に向かって、両側反転位置における編成に関与する編針数を、それぞれ前記とは逆に所要の編コース数につき１針（１ウエール）ずつ増加させるようにして、該小形つま先部３０の表側３２を編立てる。またこのとき、前記表側３２の両側端部を前記正転編部分３５の対応する部分に連続させるように編成する。これにより、前記正転編部分３５は、前記裏側３１と前記表側３２の間にその外形に沿って介設された状態になる。図中の３３，３４は前記正転編部分３５と前記裏側３１及び表側３２との連結部（ゴア線）を示す。
【００５５】
こうして、小形つま先部３０の編成が終わった時点で、一気につま先収容部２０の最大編幅の編針領域に戻して正転編を行い、正転編の編立て部２５を数コースに渡り編立てる。
【００５６】
その後、前記編立て部２５に連続して、前記つま先収容部２０の表側部２２を、前記裏側部２１とは逆に編幅を漸次増加させながら、前記裏側部２１に対応した平面略逆台形状をなすように反転編により編立てる。すなわち、編立て部２５の編立てが終了した時点で、編機における前記表側部２２の最小編幅位置（Ｃ’Ｄ’位置）の編針領域の部分に一気に戻し、この状態から最大編幅位置（Ａ’Ｂ’位置）の編針領域に向かって、両側反転位置における編成に関与する編針数を、それぞれ前記とは逆に所要の編コース数につき１針（１ウエール）ずつ増加させるようにして編成する。またこのとき、前記表側部２２の両側端部を前記正転編の編立て部２５の対応する部分に連続させるように編成する。
【００５７】
この後、最終的に、前記表側部２２の端部を筒編部１０の甲側部分１２の開口端部１４に沿って編成された前記編立て部２５の表側部分２５ａに連結編して閉じ合わせることにより、上記した構成のくつ下１Ｂ、すなわち、つま先収容部２０の外形に沿って正転編の編立て部２５を設け、さらにこの編立て部２５の中の一部においてさらに突出状をなす小形つま先部３０を設けたくつ下１Ｂを得ることができる。
【００５８】
この実施例のくつ下１Ｂの場合、前記つま先収容部２０の平面形状は、必ずしも左右対称の平面略台形状をなすものには限らず、第１実施例と同様の親指側に偏った左右非対称の平面略台形状とすることもでき、また両側外形の傾斜の程度も、編成に寄与する編針の減少率及び増加率によって適宜設定できる。
【００５９】
また、前記小形つま先部３０の平面形状や形成位置さらには大きさについても、それぞれ任意に設定できる。例えば、前記小形つま先部３０を、図５（ｃ）におけるＡＣ間の中間位置から形成することも、また中央寄りにずらして形成することもできる。
【００６０】
さらに、前記小形つま先部３０の裏側部２１及び表側部２２それぞれの反転編における両側反転位置での編成に寄与する編針の減少率及び増加率つまり減少及び増加の割合についても、前記つま先収容部２０の裏側部２１及び表側部２２の場合と同様に手法で、編成しようとする小形つま先部の形状に応じて適宜設定できる。例えば、小形つま先部３０を左右対称の平面略台形状に編成する場合は、両側反転位置での編針の減少率又は増加率を同じにし、また左右が非対称の平面略台形状に編成する場合は、両側反転位置での編針の減少率または増加率を異ならせばよい。いずれにしても、小形つま先部３０は、足の指の中で最も大きく突出する親指の先端部を収容するのに好適なように形成される。
【００６１】
このように編成されたくつ下１Ｂは、つま先収容部２０の裏側部２１と表側部２２との間に正転編の編立て部２５が設けられているため、該つま先収容部２０の全体の厚みが大きく立体的になり、つま先を収容した状態において指先に窮屈感や圧迫感を生じることがないばかりか、特に前記編立て部２５の一部に、親指の先端部を収容できる小形つま先部３０が設けられているため、この親指の側を窮屈感なく収容でき、一層体裁良く快適に履くことができる。特に、前記小形つま先部３０が、親指側に偏って前記編立て部２５の一部に設けられていると、前記親指の先端部を具合良く収容でき、編地に過度の引っ張り等を生じさせることもない。
【産業上の利用可能性】
【００６２】
本発明は、くつ下編機により編立てられて製造される各種のくつ下に適用できる。
【図面の簡単な説明】
【００６３】
【図１】本発明の第１実施例のくつ下を示す斜視図である。
【図２】同上のくつ下の製編状態の略示説明図である。
【図３】反転位置での変化状態の説明図である。
【図４】本発明の第２実施例のくつ下を示す斜視図である。
【図５】同上のくつ下の製編状態の略示説明図である。
【図６】本発明品の前記連結部の部分を説明するための編組織図である。
【図７】従来品の連結部の部分を説明するための編組織図である。
【図８】従来のくつ下を示す斜視図である。
【図９】同上のくつ下の製編状態の略示説明図である。
【符号の説明】
【００６４】
１Ａ，１Ｂ  くつ下    
１０    筒編部
１１    足裏側部分
１２    甲側部分
１５    閉じ合わせ部
２０    つま先収容部
２１    裏側部
２２    表側部
２３，２４  連結部（ゴア線）
２５    正転編の編立て部
２５ａ  表側部分    
３０    小形つま先部
３１    裏側
３２    表側
３３，３４  連結部（ゴア線）
３５    正転編部分
【図１】
2005264352.tif 000003
【図２】
2005264352.tif 000004
【図３】
2005264352.tif 000005
【図４】
2005264352.tif 000006
【図５】
2005264352.tif 000007
【図６】
2005264352.tif 000008
【図７】
2005264352.tif 000009
【図８】
2005264352.tif 000010
【図９】
2005264352.tif 000011